(57)【特許請求の範囲】
【請求項１】
現在または過去の気象を表す気象事例情報から気象関連情報の特徴量を抽出する気象事例情報特徴量抽出部と、
現在または未来の気象を表す気象情報から気象関連情報の特徴量を抽出する気象情報特徴量抽出部と、
前記気象事例情報と前記気象情報における気象関連情報の特徴量を比較し、比較結果に基づいて、類似した気象関連情報の特徴量に関連する、停電又は異常事象を含む系統異常事例情報の地理的情報を抽出する類似気象条件データ抽出部と、
前記系統異常事例情報の地理的情報と系統計測情報の地理的情報とを比較し、比較結果に基づいて前記系統計測情報から監視対象とする系統計測情報を抽出する監視対象系統計測情報抽出部とを備え、
気象情報特徴量抽出部は、
気象情報の地理的情報を抽出する地理的情報抽出部と、
前記気象情報の地理的情報と系統異常事例情報の地理的情報とを比較する地理的情報比較部と、
比較結果に基づいて、地理的に一致する前記気象情報から気象関連情報の特徴量を抽出する特徴量抽出部とを備えることを特徴とする電力系統運用支援装置。
【請求項２】
請求項１に記載の電力系統運用支援装置において、
前記気象関連情報の特徴量は、気温、湿度、風速、風向、日射量、降水量、降雪量、又は雲量の内何れかを含む物理的情報で構成することを特徴とする電力系統運用支援装置。
【請求項３】
請求項２に記載の電力系統運用支援装置において、
前記気象関連情報の特徴量は、前記物理的情報を軸とする多次元空間上に、マッピングして構成することを特徴とする電力系統運用支援装置。
【請求項４】
請求項１に記載の電力系統運用支援装置において、
前記系統異常事例情報には、断線、地絡、短絡、一時的な電圧異常、周波数異常、又は潮流異常の内何れかを含むことを特徴とする電力系統運用支援装置。
【請求項５】
請求項１に記載の電力系統運用支援装置において、
前記地理的情報には、緯度、経度、高度、又は電力系統におけるトポロジー上の相対的位置関係を示す情報の内何れかを含むことを特徴とする電力系統運用支援装置。
【請求項６】
請求項１に記載の電力系統運用支援装置において、
気象事例情報特徴量抽出部は、  
気象事例情報及び系統異常事例情報の時間的情報を抽出する時間的情報抽出部と、
前記時間的情報を比較する時間的情報比較部と、
前記気象事例情報及び系統異常事例情報の地理的情報を抽出する地理的情報抽出部と、
前記地理的情報を比較する地理的情報比較部と、
それぞれの比較結果に基づいて、時間的及び地理的に一致する前記気象事例情報から気象関連情報の特徴量を抽出する特徴量抽出部とを備えることを特徴とする電力系統運用支援装置。
【請求項７】
請求項６に記載の電力系統運用支援装置において、
前記時間的情報には、年、月、日、時、分、又は秒を含む時刻を表す情報、又は基準時刻に対する相対的時間関係を示す情報の内何れかを含むことを特徴とする電力系統運用支援装置。
【請求項８】
請求項１に記載の電力系統運用支援装置において、
類似気象条件データ抽出部は、
前記気象事例情報における気象関連情報の特徴量と、前記気象情報における気象関連情報の特徴量を比較する特徴量比較部と、
比較結果に基づいて、類似した気象関連情報の特徴量に関連する、停電又は異常事象を含む系統異常事例情報の地理的情報を抽出する地理的情報抽出部と、を備えることを特徴とする電力系統運用支援装置。
【請求項９】
請求項８に記載の電力系統運用支援装置において、
前記類似気象条件データ抽出部は、
監視対象となる気象情報を監視対象気象情報として出力することを特徴とする電力系統運用支援装置。
【請求項１０】
請求項８に記載の電力系統運用支援装置において、
監視対象系統計測情報抽出部は、
系統計測情報の地理的情報を抽出する地理的情報抽出部と、
前記系統計測情報の地理的情報と、前記類似気象条件データ抽出部で抽出された地理的情報とを比較する地理的情報比較部と、
比較結果に基づいて、前記系統計測情報から監視対象系統計測情報を抽出する系統計測情報抽出部とを備えることを特徴とする電力系統運用支援装置。
【請求項１１】
請求項９又は１０の何れかに記載の電力系統運用支援装置において、
監視対象の系統計測情報である監視対象系統計測情報と、監視対象の気象事例情報である監視対象気象事例情報と、監視対象の系統異常事例情報である監視対象系統異常事例情報と、監視対象の制御操作事例情報である監視対象制御操作事例情報と、監視対象の気象情報である監視対象気象情報と、の内、少なくとも一つを表示することを可能とする表示装置を備えることを特徴とする電力系統運用支援装置。
【請求項１２】
現在または過去の気象を表す気象事例情報から気象関連情報の特徴量を抽出し、現在または未来の気象を表す気象情報から気象関連情報の特徴量を抽出し、前記気象事例情報と前記気象情報における気象関連情報の特徴量を比較し、比較結果に基づいて、類似した気象関連情報の特徴量に関連する、停電又は異常事象を含む系統異常事例情報の地理的情報を抽出し、前記系統異常事例情報の地理的情報と系統計測情報の地理的情報とを比較し、比較結果に基づいて前記系統計測情報から監視対象とする系統計測情報を抽出し、
前記気象情報の地理的情報を抽出し、前記気象情報の地理的情報と系統異常事例情報の地理的情報とを比較し、比較結果に基づいて、地理的に一致する前記気象情報から気象関連情報の特徴量を抽出することを特徴とする電力系統運用支援方法。
【発明の詳細な説明】
【技術分野】
【０００１】
本発明は、広域電力系統の状態監視に伴い、運用者への運用支援を行う電力系統運用支援装置及び方法に関する。
【背景技術】
【０００２】
近年、太陽光発電や風力発電などに代表される自然エネルギーの利用が世界各地において増えてきている。自然エネルギーの出力を一定に制御することは容易ではないため、電力系統が不安定化している。一方、台風や集中豪雨、豪雪、竜巻などの自然災害により、広域電力系統に事故が生じ、停電が発生することも多くなっている。そのため、電力系統の信頼性を維持するための電力系統運用者の操作業務の重要性が増している。安定した電力系統の運用を可能とするため、特開２０１３−２０８０４２号公報（特許文献１）に記載の技術がある。この公報には、「本発明の実施形態の電力系統監視システムは、電力系統監視情報を受信し、監視情報記録データとして保存する監視情報記録手段と、事象が定義された事象定義情報と、事象同士の因果関係を抽出する因果関係抽出手段と、因果関係と監視情報記録データとを比較して、事象定義情報により定義された各事象の条件付確率を計算する条件付確率計算手段と、を備える。また、受信した電力系統監視情報と事象定義情報とを比較して、事象が発生したか否かを判断し、事象が発生したと判断した場合の電力系統監視情報を観測事象として保存する事象発生判断手段と、条件付確率表と観測事象と因果関係とに基づいて、将来または過去の設備の状態に対して確率推論を行う確率推論手段と、を備える。」という記載がある。
【先行技術文献】
【特許文献】
【０００３】
【特許文献１】特開２０１３−２０８０４２
【発明の概要】
【発明が解決しようとする課題】
【０００４】
特許文献１では、電力系統監視情報は大量に生成され、データベースに保存されるため、過去の類似した事象を検索するための業務負担が大きく、監視するべき系統計測情報を絞り込むことが困難であった。そこで、本発明では、気象情報に基づき監視対象系統計測情報を抽出し、電力系統運用者の操作業務を支援可能とする技術を提供することを目的とする。
【課題を解決するための手段】
【０００５】
上記課題を解決するために、本発明に係る電力系統運用支援装置は、気象事例情報から気象関連情報の特徴量を抽出する気象事例情報特徴量抽出部と、気象情報から気象関連情報の特徴量を抽出する気象情報特徴量抽出部と、前記気象事例情報と前記気象情報における気象関連情報の特徴量を比較し、比較結果に基づいて系統異常事例情報の地理的情報を抽出する類似気象条件データ抽出部と、前記系統異常事例情報の地理的情報と系統計測情報の地理的情報とを比較し、比較結果に基づいて前記系統計測情報から監視対象とする系統計測情報を抽出する監視対象系統計測情報抽出部とを備えることを特徴とする。
【発明の効果】
【０００６】
本発明によって、電力系統運用者が監視するべき系統計測情報を高速かつ正確に絞り込むことが可能となり、電力系統運用者の業務負担を軽減し、電力系統運用の信頼性を向上することが可能となる。
【図面の簡単な説明】
【０００７】
【図１】本発明の第一の実施形態を表す電力系統運用支援装置を示す。
【図２】本発明の第二の実施形態を表す電力系統運用支援装置を示す。
【図３】本発明の第三の実施形態を表す電力系統運用支援装置を示す。
【図４】電力系統運用支援システムの一例を示す。
【図５】気象事例情報特徴量抽出部の一例を示す。
【図６】気象情報特徴量抽出部の一例を示す。
【図７】類似気象条件データ抽出部の一例を示す。
【図８】監視対象系統計測情報抽出部の一例を示す。
【図９】気象関連情報の特徴量のマッピング空間の一例を示す。
【図１０】本発明の第一の実施形態のフローチャートの一例を示す。
【発明を実施するための形態】
【０００８】
以下、本発明の実施に好適な実施例について説明する。尚、下記はあくまでも実施の例に過ぎず、下記具体的内容に発明自体が限定されることを意図する趣旨ではない。
【実施例１】
【０００９】
[電力系統運用支援装置]
図１は本発明を実施するための第一の実施形態を表す電力系統運用支援装置１０ａの構成を示す図である。電力系統の状態を表す系統計測情報１０１と、現在または未来の気象を表す気象情報１０２と、過去または現在の気象事例情報１０３と、過去または現在の電力系統の異常を表す系統異常事例情報１０４と、を入力情報とする。また系統計測情報１０１の一部または全てを含む監視対象系統計測情報２０１と、気象事例情報１０３の一部または全てを含む監視対象気象事例情報２０３と、系統異常事例情報１０４の一部または全てを含む監視対象系統異常事例情報２０４と、を出力情報とする。また電力系統運用支援装置１０ａは監視対象系統計測情報抽出部１１と、類似気象条件データ抽出部１２ａと、気象情報特徴量抽出部１３と、系統異常事例地理的情報データベース１４と、気象事例情報特徴量抽出部１５と、類似事例保存データベース１６ａによって構成される。
【００１０】
電力系統は複数の送配電線で構成され、メッシュ系統や放射状系統などの複数のトポロジーによって構成される。例えば、北米大陸では、高電圧系統の送電線はメッシュ状系統で構成されていることが多い。一方、日本では、高電圧系統の送電線は放射状系統で構成されていることが多い。ただし、メッシュ状系統や放射状系統、その他の構成も含めて、様々な構成の組み合わせによって、電力系統が構成されるのが一般的である。
【００１１】
電力系統では、落雷や強風、豪雨、豪雪、台風、竜巻、などの気象的要因や、保守作業の作業ミスなどの人為的要因、航空機事故などの外部的要因など、様々な要因によって、電力系統に異常が生じる可能性がある。異常事例としては、例えば、断線、地絡、短絡などに代表される原因によって需要家に停電が発生することもあり、また停電には至らない場合でも、一時的に電圧や周波数、潮流などに異常が発生することがある。そのため電力系統を制御する中央指令所や制御所では、系統計測装置によって電力系統の状態を把握するために電力系統の電圧、電流、周波数、などを常時計測している。
【００１２】
系統計測情報１０１とは、例えば、電力系統の電圧、電流、周波数、などを含む物理的情報に関し、地理的情報と時間的情報を含む情報のことである。地理的情報とは、緯度、経度、高度などの情報や、あるいは電力系統におけるトポロジー上の相対的位置関係を示す情報のことである。時間的情報とは、年、月、日、時、分、秒、などの時刻を表す情報や、あるいは基準時刻に対する相対的時間関係を示す情報のことである。
【００１３】
系統異常事例情報１０４とは、例えば、上記のような停電、もしくは停電には至らない異常事象の両方を含む情報に関し、その種別と名称及び内容、上記の地理的情報と時間的情報を含む情報のことである。上記系統異常事例情報１０４は、例えば、中央指令所や制御所に設置されるＳＣＡＤＡ装置によって、電力系統から収集される情報のことである。あるいは外部から入力される情報でも良い。
【００１４】
また前記の人為的要因や外部的要因については、いつ発生するかを予め予測することは困難であるが、気象的要因に関しては、気象庁や気象会社によって気象関連情報が常時計測および解析、予測されているため、気象的要因を予測することは相対的に実現し易い。ここで気象関連情報とは、例えば、気温、湿度、風速、風向、日射量、降水量、降雪量、雲量、などに代表される物理的情報に関し、上記の地理的情報と時間的情報を含む情報のことである。ここで気象情報１０２とは、現在または未来の気象を表す気象関連情報のことである。また気象事例情報１０３とは、現在または過去の気象を表す気象関連情報のことである。
【００１５】
電力系統運用支援装置１０ａでは、系統異常事例情報１０４が入力されると、類似事例保存データベース１６に保存される。また気象事例情報１０３が入力されると、気象事例情報特徴量抽出部１５では、系統異常事例情報１０４に含まれる地理的情報と時間的情報を抽出し、気象事例情報１０３に含まれる地理的情報と時間的情報を比較することで、地理的および時間的に一致する条件における気象関連情報を抽出する。なお、地理的および時間的に一致するとは、全ての物理量が完全に一致することを指すだけでなく、ほぼ近似的に一致することも含む。その気象関連情報から特徴量を抽出して、気象事例情報特徴量として、当該の系統異常事例情報１０４と関連づけて類似事例保存データベース１６に保存される。ここで気象関連情報の特徴量を抽出することによって、気象情報１０２との類似する気象条件におけるデータを抽出することを容易にするという効果を有する。また気象事例情報特徴量抽出部１５において抽出された地理的情報は、系統異常事例地理的情報データベース１４に保存される。
【００１６】
次に、気象情報特徴量抽出部１３では、気象情報１０２が入力されると、気象情報１０２に含まれる地理的情報を抽出し、系統異常事例地理的情報データベース１４に保存されている地理的情報と比較することで、地理的に一致する条件における気象関連情報を抽出する。なお、地理的に一致するとは、全ての物理量が完全に一致することを指すだけでなく、ほぼ近似的に一致することも含む。地理的に一致する条件の気象関連情報を抽出することで、現在または未来の複数の気象関連情報を抽出することが可能となり、現在の電力系統の状態の正しい把握や、未来の電力系統の状態を予測することが可能となり、電力系統運用の信頼性を向上することが可能になるという効果を有する。
【００１７】
次に、類似気象条件データ抽出部１２ａでは、気象情報特徴量抽出部１３において抽出された気象関連情報の特徴量と、類似事例保存データベース１６ａに保存された複数の気象関連情報の特徴量と、を比較し、類似した気象関連情報の特徴量に関連する、地理的情報と、監視対象気象事例情報２０３と、監視対象系統異常事例情報２０４を抽出する。監視対象とするべき気象情報１０２を少なくすることが可能となり、類似気象条件のデータ抽出を容易にするという効果を有する。
【００１８】
最後に、監視対象系統計測情報抽出部１１では、類似気象条件データ抽出部１２ａから出力される地理的情報を入力されて、系統計測情報１０１の地理的情報を比較することで、監視対象系統計測情報２０１を抽出し、電力系統運用支援装置１０ａから出力する。監視するべき系統計測情報１０１を絞り込むことが可能となり、電力系統運用者の業務を支援することができ、電力系統運用業務の信頼性を向上することが可能になるという効果を有する。
【００１９】
なお、本実施例では、説明を容易とするために、系統異常事例地理的情報データベース１４と、類似事例保存データベース１６ａを別々のデータベースとして構成したが、これらを同等の機能を有する単一のデータベースとして構成しても構わない。
【００２０】
[電力系統運用支援システム]
電力系統運用支援装置１０ａを含む電力系統運用支援システム２０の構成図の一例を図４に示す。中央指令所または制御所２１には、電力系統運用支援装置１０ａ、表示装置２２、ＳＣＡＤＡ装置２３、系統計測装置２４、気象関連情報収集端末２５で構成される。中央指令所または制御所２１の外部には、送電線３４ａで接続される電力系統３３ａと、さらにその先には送電線３４ｂで接続される電力系統３３ｂ、送電線３４ｃで接続されるは、電力系統３３ｃなど、およびインターネット３２で接続される気象情報会社３１、が接続される。
【００２１】
ＳＣＡＤＡ装置２３は、送電線３４ａ、３４ｂ、３４ｃを介して、電力系統３３ａ、３３ｂ、３３ｃにおける系統異常事例情報１０４を収集することが可能であるとする。ＳＣＡＤＡ装置２３は、例えば、ＳＶデータ（デジタル情報）、ＴＭデータ（アナログ情報）を収集可能な装置であるとしてもよい。収集された系統異常事例情報１０４は、電力系統運用支援装置１０ａに入力される。また系統異常事例情報１０４は、必ずしもＳＣＡＤＡ装置２３から電力系統運用支援装置１０ａに入力される必要はなく、手動によって入力する方法を用いても構わない。
【００２２】
同様に、系統計測装置２４は、送電線３４ａ、３４ｂ、３４ｃを介して、電力系統３３ａ、３３ｂ、３３ｃにおける系統計測情報１０１を収集することが可能であるとする。系統計測装置２４は、例えば、ＰＭＵ（Phasor Measurement Unit）データを収集可能なＰＤＣ（Phasor Data Concentrator）装置であるとしてもよい。収集された系統計測情報１０１は、電力系統運用支援装置１０ａに入力される。なお、本実施例では、ＳＣＡＤＡ装置２３と、系統計測装置２４を、別々の装置として説明するが、両方の機能を備えた単一の装置として構成しても構わない。
【００２３】
気象関連情報収集端末２５は、インターネット３２を介して、気象情報会社３１から、気象情報１０２と気象事例情報１０３を収集することが可能であるとする。収集された気象情報１０２と気象事例情報１０３は、電力系統運用支援装置１０ａに入力される。なお、気象情報１０２と気象事例情報１０３は、必ずしもリアルタイムに収集される必要性はなく、予め事前に収集しておくなど、必要に応じて適宜収集することができれば良い。
【００２４】
電力系統運用支援装置１０ａからは、監視対象系統計測情報２０１、監視対象気象事例情報２０３、監視対象系統異常事例情報２０４、が表示装置２２に出力される。表示装置２２において、監視対象系統計測情報２０１、監視対象気象事例情報２０３、監視対象系統異常事例情報２０４の内、いずれか一つ以上または全てを表示することで、電力系統運用者が視認することで、電力系統運用者の操作業務を支援することが可能となり、電力系統運用の信頼性が向上するという効果が得られる。
【００２５】
なお、本実施例における電力系統運用支援システム２０は、実施形態の一例を示したものであり、本実施形態によって構成が縛られるものではなく、また得られる効果についても影響を受けるものではない。
【００２６】
[気象事例情報特徴量抽出部]
気象事例情報特徴量抽出部１５の構成の一例を示す図を図５に示す。気象事例情報特徴量抽出部１５では、気象事例情報１０３と系統異常事例情報１０４が入力される。時間的情報抽出部１５１ａでは気象事例情報１０３の時間的情報を抽出し、時間的情報抽出部１５１ｂでは系統異常事例情報１０４の時間的情報を抽出し、それぞれの抽出した時間的情報を、時間的情報比較部１５４において比較することで、時間的に一致する気象事例情報を抽出する。ここで時間的に一致するとは、完全に時間が一致することのみを指すのではなく、近似的に時間が一致することも含んでよい。
【００２７】
次に、地理的情報抽出部１５２ａでは気象事例情報１０３の地理的情報を抽出し、地理的情報抽出部１５２ｂでは系統異常事例情報１０４の地理的情報を抽出し、それぞれの抽出した地理的情報を、地理的情報比較部１５５において比較することで、地理的に一致する気象事例情報を抽出する。ここで地理的に一致するとは、完全に地理が一致することのみを指すのではなく、近似的に地理が一致することも含んでよい。
【００２８】
次に、特徴量抽出部１５３では、時間的情報比較部１５４と地理的情報比較部１５５の両方の比較結果が入力され、両方が一致した場合に、気象事例情報１０３から気象関連情報の特徴量を、類似事例保存データベース１６において保存すると共に、系統異常事例情報１０４も関連付けて類似事例保存データベース１６に保存する。
【００２９】
また地理的情報抽出部１５２ｂにおいて、系統異常事例情報１０４から抽出された地理的情報は、系統異常事例地理的情報データベース１４に保存される。
【００３０】
ここで気象関連情報の特徴量を抽出するための説明図を図９に示す。気象関連情報は、前述の通り、例えば、気温、湿度、風速、風向、日射量、降水量、降雪量、雲量、などに代表される物理的情報によって構成される。これらの一部または全ての物理的情報を軸とする多次元空間上に、気象関連情報をマッピングすることが可能である。図９では説明を容易とするため、３次元の空間によって説明する。物理的情報Ａ、物理的情報Ｂ、物理的情報Ｃをそれぞれ軸として、気象関連情報をマッピングしている。気象関連情報は、他と近接するものもあれば、離れてマッピングされるものもある。この内、近接した複数の気象関連情報を、それぞれクラスタ５１ａ、クラスタ５１ｂ、クラスタ５１ｃと定義し、それぞれのクラスタ内にマッピングされた気象関連情報は、同一の気象関連情報であると判定する。このように気象関連情報を整理することで、例えば、クラスタの中心点を、気象関連情報の特徴量と定義することが可能である。その結果、気象関連情報を比較することが容易になるという効果を得られる。
【００３１】
[気象情報特徴量抽出部]
気象情報特徴量抽出部１３の構成の一例を示す図を図６に示す。気象情報特徴量抽出部１３では、気象情報１０２と、系統異常事例地理的情報データベース１４に保存された地理的情報が入力される。地理的情報抽出部１３１ａでは気象情報１０２の地理的情報を抽出し、地理的情報抽出部１３１ｂでは系統異常事例地理的情報データベース１４に保存された地理的情報を抽出し、それぞれの抽出した地理的情報を、地理的情報比較部１３３において比較することで、地理的に一致する気象関連情報を抽出する。ここで地理的に一致するとは、完全に地理が一致することのみを指すのではなく、近似的に地理が一致することも含んでよい。
【００３２】
次に、特徴量抽出部１３２では、地理的情報比較部１３３の比較結果が入力され、比較結果が一致した場合に、気象情報１０２から気象関連情報特徴量を、類似気象条件データ抽出部１２に出力する。
【００３３】
[類似気象条件データ抽出部]
類似気象条件データ抽出部１２ａの構成の一例を示す図を図７に示す。類似気象条件データ抽出部１２ａでは、気象情報特徴量抽出部１３における特徴量抽出結果と、類似事例保存データベース１６に保存された気象関連情報特徴量と系統異常事例情報が入力される。気象関連情報特徴量抽出部１２２では、気象関連情報特徴量を抽出し、気象関連情報特徴量比較部１２１へ出力し、系統異常事例情報を地理的情報抽出部１２３へ出力すると共に、監視対象気象事例情報２０３と、監視対象系統異常事例情報２０４と、を類似気象条件データ抽出部１２ａから出力する。
【００３４】
気象関連情報特徴量比較部１２１では、気象関連情報特徴量抽出部１２２からの入力情報と、気象情報特徴量抽出部１３からの入力情報と、を比較し、その比較結果を地理的情報抽出部１２３へ出力する。
【００３５】
地理的情報抽出部１２３では、前記比較結果が一致した場合に、系統異常事例情報に含まれる地理的情報を抽出し、監視対象系統計測情報抽出部１１へ出力する。
【００３６】
[監視対象系統計測情報抽出部]
監視対象系統計測情報抽出部１１の構成の一例を示す図を図８に示す。監視対象系統計測情報抽出部１１では、類似気象条件データ抽出部１２ａにおける地理的情報の抽出結果と、系統計測情報１０１が入力される。地理的情報抽出部１１２では、系統計測情報１０１の地理的情報を抽出し、地理的情報比較部１１１へ出力すると共に、系統計測情報１０１を系統計測情報抽出部１１３へ出力する。
【００３７】
地理的情報比較部１１１では、地理的情報抽出部１１２からの入力情報と、類似気象条件データ抽出部１２ａからの入力情報と、を比較し、その比較結果を系統計測情報抽出部１１３へ出力する。
【００３８】
系統計測情報抽出部１１３では、前記比較結果が一致した場合に、系統計測情報１０１に含まれる監視対象系統計測情報２０１を出力する。
【００３９】
以上のような構成によって、監視対象系統計測情報２０１を抽出することで、電力系統運用者が監視するべき系統計測情報を絞り込むことが可能となり、電力系統運用者の業務負担を軽減し、電力系統運用の信頼性を向上することが可能となる。電力系統運用の信頼性が向上した結果、停電などの異常事例の発生が抑制され、社会の経済的な損失を低減可能になるという効果も得られる。
【００４０】
[電力系統運用支援装置の処理手順]
電力系統運用支援装置１０ａの処理手順の一例を示すフローチャートを図１０に示す。ステップＳ１０１からフローチャートは開始する。ステップＳ１０２において、系統異常事例情報１０４と気象事例情報１０３があるかを判定し、ＹＥＳの場合は、ステップＳ１０３に進む。ステップＳ１０３では、気象事例情報特徴量抽出部１５を実行し、再びステップＳ１０２に戻る。ステップＳ１０２において、ＮＯの場合は、ステップＳ１０４へ進む。
【００４１】
ステップＳ１０４では、気象情報１０２があるかを判定し、ＹＥＳの場合は、ステップＳ１０５に進む。ＮＯの場合は、ステップＳ１０９に進み、処理を終了する。ステップＳ１０５では、気象情報特徴量抽出部１３を実行し、続いて、ステップＳ１０６の類似気象条件データ抽出部１２ａを実行し、その後にステップＳ１０７に進む。
【００４２】
ステップＳ１０７では、類似気象条件データ抽出部１２ａを実行した結果として類似気象条件があるかどうかを判定し、ＹＥＳの場合は、ステップＳ１０８へ進む。ＮＯの場合は、ステップＳ１０９へ進み、処理を終了する。ステップＳ１０８では、監視対象系統計測情報抽出部１１を実行し、その後にステップＳ１０９に進み、処理を終了する。
【００４３】
なお、本フローチャートで示した処理手順は一例を示したのみであり、本処理手順によって本発明の実施形態、効果が限定されるものではない。本処理手順とは異なる手順によって、本発明を実施することは可能である。
【実施例２】
【００４４】
図２は本発明を実施するための第二の実施形態を表す電力系統運用支援装置１０ｂの構成を示す図である。電力系統運用支援装置１０ｂは、電力系統運用支援装置１０ａとほぼ同一の構成であるが、制御操作事例情報１０５を入力とし、監視対象制御操作事例情報２０５を出力とすることが追加されている。
【００４５】
電力系統運用支援装置１０ｂを、図４に示した電力系統運用支援システム２０における電力系統運用支援装置１０ａと置き換えることで、同様に実現することが可能である。
【００４６】
このように電力系統運用支援装置１０ｂを構成することで、表示装置２２に監視対象制御操作事例情報２０５を表示することが可能となる。その結果、電力系統運用者は過去の系統異常事例における制御操作事例を確認することが可能となるため、電力系統運用者の制御操作の正確性が向上し、電力系統運用の信頼性、安定性が向上するという効果を得ることができる。
【００４７】
このような機能を有しない場合には、電力系統運用者は自らの経験やマニュアルに基づいて、適切な制御操作を推測するため、電力系統運用者が行うべき操作内容が必ずしも適切では無い可能性があり、電力系統運用者の系統運用業務への習熟度によって信頼性が影響を受けるという課題がある。そこで、本実施例では、制御操作事例情報を提示することで電力系統運用者の操作業務を支援可能とするという効果を得られる。
【実施例３】
【００４８】
図３は本発明を実施するための第三の実施形態を表す電力系統運用支援装置１０ｃの構成を示す図である。電力系統運用支援装置１０ｃは、電力系統運用支援装置１０ｂとほぼ同一の構成であるが、監視対象気象情報２０２を出力とすることが追加されている。
【００４９】
電力系統運用支援装置１０ｃを、図４に示した電力系統運用支援システム２０における電力系統運用支援装置１０ａと置き換えることで、同様に実現することが可能である。
【００５０】
このように電力系統運用支援装置１０ｃを構成することで、表示装置２２に監視対象気象情報２０２を表示することが可能となる。その結果、電力系統運用者は、現在または未来の気象情報を確認することが可能となるため、電力系統運用者の制御操作をより適切に判定することで正確性が向上し、電力系統運用の信頼性、安定性が向上するという効果を得ることができる。
【００５１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、SSD（Solid State Drive）等の記録装置、または、ICカード、SDカード、DVD等の記録媒体に置くことができる。
【符号の説明】
【００５２】
１０ａ，１０ｂ，１０ｃ  電力系統運用支援装置
１１  監視対象系統計測情報抽出部
１２ａ，１２ｂ，１２ｃ  類似気象条件データ抽出部
１３  気象情報特徴量抽出部
１４  系統異常事例地理的情報データベース
１５  気象事例情報特徴量抽出部
１６ａ，１６ｂ，１６ｃ  類似事例保存データベース
２０  電力系統運用支援システム
２１  中央指令所または制御所
２２  表示装置
２３  ＳＣＡＤＡ装置
２４  系統計測装置
２５  気象関連情報収集端末
３１  気象情報会社
３２  インターネット
３３ａ，３３ｂ，３３ｃ  電力系統
３４ａ，３４ｂ，３４ｃ  送電線
５０  気象関連情報の特徴量のマッピング空間
５１ａ，５１ｂ，５１ｃ  気象関連情報の特徴量のクラスタ
１０１  系統計測情報
１０２  気象情報
１０３  気象事例情報
１０４  系統異常事例情報
１０５  制御操作事例情報
１１１  地理的情報比較部
１１２  地理的情報抽出部
１１３  系統計測情報抽出部
１２１  気象関連情報特徴量比較部
１２２  気象関連情報特徴量抽出部
１２３  地理的情報抽出部
１３１ａ，１３１ｂ  地理的情報抽出部
１３２  特徴量抽出部
１３３  地理的情報比較部
１５１ａ，１５１ｂ  時間的情報抽出部
１５２ａ，１５２ｂ  地理的情報抽出部
１５３  特徴量抽出部
１５４  時間的情報比較部
１５５  地理的情報比較部
２０１  監視対象系統計測情報
２０２  監視対象気象情報
２０３  監視対象系統計測情報
２０４  監視対象系統異常事例情報
２０５  監視対象制御操作事例情報
【図１】
0006695186.tif 000002
【図２】
0006695186.tif 000003
【図３】
0006695186.tif 000004
【図４】
0006695186.tif 000005
【図５】
0006695186.tif 000006
【図６】
0006695186.tif 000007
【図７】
0006695186.tif 000008
【図８】
0006695186.tif 000009
【図９】
0006695186.tif 000010
【図１０】
0006695186.tif 000011